(57)【要約】【課題】倒壊したような場合でも、電柱が活用できるようにする。【解決手段】管内が密閉可能な鋼管１０１から構成されている。鋼管１０１は、円筒状の容器であり、例えば、一端（上端）に開口部を備え、この開口部が蓋１０１ａにより密閉可能とされている。また、鋼管１０１の管内には、鋼管１０１と絶縁分離して配置されて鋼とは酸化還元電位が異なる金属から構成された電極１０２を備える。また、電極１０２には、引き出し配線１０３が接続されている。引き出し配線１０３は、鋼管１０１の外部に取り出されている。【選択図】  図１
2013097945.tif 000002
【特許請求の範囲】
【請求項１】
管内が密閉可能な鋼管と、
前記鋼管の管内に前記鋼管と絶縁分離して配置されて鋼とは酸化還元電位が異なる金属から構成された電極と、
前記電極に接続されて前記鋼管の外部に取り出されている引き出し配線と
を備えることを特徴とする電柱。
【請求項２】
請求項１記載の電柱において、
前記鋼管の内に配置された電解質を備えることを特徴とする電柱。
【請求項３】
請求項１または２記載の電柱において、
前記鋼管に接続された配線を備えることを特徴とする電柱。
【発明の詳細な説明】
【技術分野】
【０００１】
本発明は、鋼管から構成された電柱に関するものである。
【背景技術】
【０００２】
架空構造物の１つである電柱は，地上に存在し，通信線および送電線などを支持する設備である。電柱には金属製（鋼管）のものと鉄筋コンクリート製のものがある。電柱や、送電や通信サービスを提供するための基盤となる重要な産業基盤の設備である。
【先行技術文献】
【非特許文献】
【０００３】
【非特許文献１】http://www.ntt-east.co.jp/release/detail/pdf/20110330_01_03.pdf
【発明の概要】
【発明が解決しようとする課題】
【０００４】
しかしながら、大地震などにより電柱が支える通信線，送電線が切断し、また、電柱が倒壊したりした場合、電柱は産業基盤としての機能を果たさない状態となる。電柱の地震による倒壊としては、非特許文献１に示すような例がある。また、このように倒壊し、あるいは破損した電柱は、瓦礫として処分しなければならず、様々な問題を抱えている。
【０００５】
本発明は、以上のような問題点を解消するためになされたものであり、倒壊したような場合でも、電柱が活用できるようにすることを目的とする。
【課題を解決するための手段】
【０００６】
本発明に係る電柱は、管内が密閉可能な鋼管と、鋼管の管内に鋼管と絶縁分離して配置されて鋼とは酸化還元電位が異なる金属から構成された電極と、電極に接続されて鋼管の外部に取り出されている引き出し配線とを備える。なお、鋼管の内部に、電解質が配置されているようにしてもよい。また、鋼管に接続された配線を備えるようにしてもよい。
【発明の効果】
【０００７】
以上説明したことにより、本発明によれば、倒壊したような場合でも、電柱が電池として活用できるようになるという優れた効果が得られるようになる。
【図面の簡単な説明】
【０００８】
【図１】図１は、本発明の実施の形態における電柱の構成を示す断面図である。
【図２】図２は、鋼管１０１に電解質が溶解した水溶液２０１を注入して電池とした電柱の一部構成を示す断面図である。
【発明を実施するための形態】
【０００９】
以下、本発明の実施の形態について図を参照して説明する。図１は、本発明の実施の形態における電柱の一部構成を示す断面図である。この電柱は、管内が密閉可能な鋼管１０１から構成されている。鋼管１０１は、円筒状の容器であり、例えば、一端（上端）に開口部を備え、この開口部が蓋１０１ａにより密閉可能とされている。また、鋼管１０１の管内には、鋼管１０１と絶縁分離して配置されて鋼とは酸化還元電位が異なる金属から構成された電極１０２を備える。また、電極１０２には、引き出し配線１０３が接続されている。引き出し配線１０３は、鋼管１０１の外部に取り出されている。
【００１０】
電極１０２は、例えば、絶縁材料から構成された支持部１０４により、鋼管１０１の他端（下端）の上に支持されている。また、引き出し配線１０３は、蓋１０１ａを貫通して外部に取り出されている。引き出し配線１０３が貫通する箇所には、絶縁封止部１０５が設けられている。また、鋼管１０１にも、配線１０６が接続されている。引き出し配線１０３および配線１０６は、例えば、リード線を用いればよい。
【００１１】
電極１０２は、鉄鋼に対して水中での自然電位が高い銅などの金属から構成されていればよい。例えば、電極１０２は、銅から構成すればよい。また、電極１０２は、作製が容易であり、鋼管１０１の内部に納まる形状であり、なおかつある程度表面積が大きいほうが望ましいため、棒状あるいは板状が好ましい。また、電極１０２は、らせん状や蛇腹状などどのような形状であってもよい。なお、他方の電極として用いられる鋼管には、鋼の表面に亜鉛めっきが形成されているものもあるが、亜鉛の水中での自然電位は鉄鋼の自然電位よりも卑である。従って、鋼管１０１は、亜鉛がめっきされていてもよい。
【００１２】
蓋１０１ａは、本実施の形態における電柱を通常使用している時に、鋼管１０１に雨水などが浸入し、鋼管１０１と電極１０２とが短絡しないように設けるものである。このため、蓋１０１ａは、水などの液体を通さない（遮断する）材料から構成されていればよく、例えば、亜鉛めっき鋼などを用いて適宜設計すればよい。また、蓋１０１ａは、鋼管１０１に、容易に脱着可能とするために、ねじ止めできる構造とすればよい。また、蓋１０１ａは、鋼管１０１に差し込み可能な構造としてもよい。
【００１３】
上述した本実施の形態における電柱によれば、電柱が本来の機能を失うなどの場合を含め、必要に応じ、図２に示すように、鋼管１０１の内部に電解質が溶解した水溶液２０１を注入することで、電池として利用することが可能となる。蓋１０１ａを外して水溶液２０１を注入し、この後蓋１０１ａを封止すればよい。例えば、海水のように多量の塩を含む水溶液２０１が好ましい。また、純水でなければ、河川水のように少量の塩を含む水でも用いることができる。また、鋼管１０１の内部に、塩などの水に溶解する電解質の粉末やペレットを予め配置しておいてもかまわない。ここで、当然ではあるが、上述したように鋼管１０１の内部に注入した水溶液に、少なくとも一部の電極１０２が接触可能となっている必要がある。
【００１４】
例えば、河川水を注入した場合、鋼管１０１と電極１０２との間の電圧は、初期には鋼管１０１と銅からなる電極１０２の水中での電位差である−０．６Ｖ（ｖｓＳＨＥ）と０．３Ｖ（ｖｓＳＨＥ）の合成で、約０．９Ｖの起電力が得られると期待される。鋼管１０１に亜鉛めっきが施されている場合には、亜鉛についての−１Ｖ（ｖｓＳＨＥ）が混成するので、約１．３Ｖの起電力が期待できる。また、電池として放電すると鋼は溶け出してしまうので電柱が瓦礫として残ることもないという副次的な効果も有する。
【００１５】
なお、本発明は以上に説明した実施の形態に限定されるものではなく、本発明の技術的思想内で、当分野において通常の知識を有する者により、多くの変形が実施可能であることは明白である。例えば、上述した実施の形態では、鋼管内を１つの部屋とし、１組の電極対が構成されるものとしたが、これに限るものではない。鋼管内を複数の部屋とし、各々の部屋に電極を設け、直列または並列に接続される複数の電池が構成されるようにしてもよい。
【符号の説明】
【００１６】
１０１…鋼管、１０２…電極、１０３…電極、１０４…支持部、１０５…絶縁封止部、１０６…配線。
【図１】
2013097945.tif 000003
【図２】
2013097945.tif 000004